(57)【要約】【課題】光触媒が受光する紫外線照度を必要最小限の酸使用量によって回復させ、装置性能を常時高活性に維持することができる光触媒式排水処理装置を提供すること。【解決手段】紫外線透過材料からなる、内筒１３および内筒と同心円状に設けられた外筒１４と、外筒１４の内面に設けられた光触媒１１および内筒１３内に設けられた殺菌灯１２と、外筒と内筒との間に形成される被処理水４６の流路４５とを備えた光触媒反応器を用いた廃水処理装置であって、光触媒反応器の殺菌灯１２に対向する外筒１４の外表面に紫外線強度計１５を設けるとともに、その計測値に基づいて被処理水流路４５に流入する被処理水４６に連続的または間歇的に酸を添加する酸供給装置を設けたこと。【選択図】図１
2004113932.tif 000002
【特許請求の範囲】
【請求項１】
紫外線発生源と、該紫外線発生源から照射される紫外線を受けて被処理水中の有害有機物の分解を促進させる光触媒とを有する光触媒反応器を用いた廃水処理装置において、前記光触媒が受光する紫外線照度を測定する紫外線強度計を設けるとともに、該紫外線強度計の測定値に基づいて前記光触媒反応器に導入する被処理水に連続的または間歇的に所定量の酸を添加する酸供給装置を設けたことを特徴とする光触媒式廃水処理装置。
【請求項２】
前記光触媒反応器は、紫外線透過材料からなる、内筒および該内筒と同心円状に設けられた外筒と、該外筒の内面に設けられた光触媒および前記内筒内に設けられた紫外線発生源と、前記外筒と内筒との間に形成される被処理水の流路とを有し、前記外筒に前記紫外線発生源から照射される紫外線照度を測定する紫外線強度計を設けたことを特徴とする請求項１に記載の光触媒式廃水処理装置。
【請求項３】
前記光触媒反応器を多数直列に連結して反応器モジュールとし、該反応器モジュールを単独でまたは複数組み合わせて大容量の光触媒反応器としたことを特徴とする請求項１または２に記載の光触媒式廃水処理装置。
【請求項４】
前記光触媒は、無機繊維基材に酸化チタンを担持させたものであることを特徴とする請求項１〜３の何れかに記載の光触媒式廃水処理装置。
【請求項５】
請求項１〜４の何れかに記載の光触媒式廃水処理装置を用いた廃水処理方法であって、前記光触媒反応器の被処理水流路に被処理水を流通させ、光触媒の存在下に被処理水に含まれる有害有機物を分解するとともに、前記紫外線強度計によって光触媒が受光する紫外線照度を監視し、該紫外線照度が所定の基準量まで低下した時点で、前記紫外線照度が低下した光触媒反応器に流入する被処理水に連続的または間歇的に所定量の酸を添加し、酸性の被処理水で光触媒表面または被処理水流路壁面に付着した化合物を溶解し、前記光触媒が受光する紫外線照度を復活させることを特徴とする廃水処理方法。
【請求項６】
前記紫外線強度計による紫外線照度の計測値が所定の基準値以下となった際に、前記被処理水流路内の被処理水を抜き出し、清水を満たした状態で再度紫外線照度を計測し、得られた計測値が前記基準値以下のときに前記被処理水に酸を添加することを特徴とする請求項５に記載の廃水処理方法。
【請求項７】
前記紫外線照度の基準値を、廃水処理開始前の紫外線照度の９０％とすることを特徴とする請求項５または６に記載の廃水処理方法。
【請求項８】
前記被処理水は、廃棄物最終処分場の浸出水であることを特徴とする請求項５〜７の何れかに記載の廃水処理方法。
【発明の詳細な説明】
【０００１】
【発明の属する技術分野】
本発明は、光触媒式廃水処理装置およびこれを用いた廃水処理方法に係り、特に、ごみ埋立最終処分場から排出される浸出水等に含まれるダイオキシン類等の有害有機物を、紫外線が照射された光触媒の存在下に分解、処理する光触媒式廃水処理装置およびこれを用いた廃水処理方法に関する。
【０００２】
【従来の技術】
ごみの埋立最終処分場から排出される浸出水には、通常、未処理のまま放流すると環境に悪影響を及ぼす汚濁物質が含まれている。このため、一般に埋立最終処分場には浸出水処理設備が設置されている。この種の水処理設備は、例えば生物処理設備、凝集沈殿処理設備、砂ろ過処理設備、活性炭吸着設備、消毒設備等から構成されており、有機性汚濁物質（ＢＯＤ）、窒素（Ｎ）成分、水中浮遊物質（ＳＳ）、色度成分等が吸着または分離処理される。
【０００３】
しかしながら、ダイオキシンをはじめとする有害有機物（以下、ＤＸＮ等という）は、上記の水処理設備では完全に分解、除去されない。このため、上記水処理設備に、ＤＸＮ類除去装置を組み込んだ廃水処理設備が種々提案されている。ＤＸＮ類除去装置としては、例えばオゾン発生器と紫外線源とを備えた反応器や、光触媒と紫外線源とを備えた反応器等が挙げられる。このうち、光触媒と紫外線源とを備えた光触媒反応器としては、例えば石英ガラスからなる内筒と、塩化ビニール製の外筒とからなる二重管構造の、前記内筒内に殺菌灯を、外筒の内壁面に光触媒を配置したものが挙げられる。
【０００４】
ところで、ごみ埋立処分場の浸出水にはＤＸＮ類以外に、例えば鉄（Ｆｅ）やカルシウム（Ｃａ）成分等が含まれており、光触媒の表面や水流路壁面にこれらの化合物が付着すると、光触媒に照射される光エネルギーが遮蔽されて減少し、光触媒としての性能が低下する。このような問題を解決するため、本発明者による未公知の技術として、一定時間廃水処理操作を行った後、被処理液に塩酸（ＨＣｌ）を添加し、この塩酸酸性の被処理液で付着化合物を溶解、除去して光触媒の性能を回復させる廃水処理方法が提案されている。
【０００５】
【特許文献１】特開平１０−１５１３５４号公報
【特許文献２】特開平０９−００７５４２号公報
【０００６】
【発明が解決しようとする課題】
しかしながら、上記先行技術は、Ｆｅ、Ｃａ等を含む化合物の光触媒表面または水流路壁面への付着状況の如何にかかわらず、一定時間経過後に被処理水に塩酸を添加するものであるために、化合物の付着状況に適応した酸洗浄を行うことができず、光触媒の性能を十分に復活させさることができないか、または必要以上の酸洗浄により酸使用量が増大するという問題があった。
【０００７】
本発明の課題は、上記先行技術の問題点を解決し、光触媒が受光する紫外線照度を監視し、Ｆｅ、Ｃａ等の化合物の付着によって低減した、光触媒が受光する紫外線照度を必要最小限の酸使用量によって回復させ、装置性能を常時高活性に維持することができる、光触媒式排水処理装置およびこれを用いた排水処理方法を提供することにある。
【０００８】
【課題を解決するための手段】
上記課題を解決するため、本発明者は、光触媒反応器におけるＤＸＮ類の除去性能と光触媒の紫外線受光量との関係について調査し、前記ＤＸＮ類の除去性能は光触媒が受光する紫外線照度に大きく左右されること、および光触媒の受光する紫外線照度は反応器内壁面へＦｅ、Ｃａ等を含む化合物が付着することによって経時的に減少するという知見を得、この知見に基づいて鋭意研究した結果、光触媒反応器における光触媒が受光する紫外線強度を測定する紫外線強度計を設けるとともに、該紫外線強度計の測定値に基づいて被処理水に酸を添加する酸供給装置を設け、前記紫外線強度計によって光触媒が受光する紫外線強度を常時監視し、紫外線照度があらかじめ決定した所定の基準値になった時点で被処理水に連続的または間歇的に所定量の酸を添加し、酸性の被処理水を流通させることにより、必要最小限の酸使用量によって前記付着物を溶解させて光触媒の受光紫外線照度および装置性能を回復できること見出し、本発明に到達した。
【０００９】
すなわち、本願で特許請求する発明は、以下のとおりである。
（１）紫外線発生源と、該紫外線発生源から照射される紫外線を受けて被処理水中の有害有機物の分解を促進させる光触媒とを有する光触媒反応器を用いた廃水処理装置において、前記光触媒が受光する紫外線照度を測定する紫外線強度計を設けるとともに、該紫外線強度計の測定値に基づいて前記光触媒反応器に導入する被処理水に連続的または間歇的に所定量の酸を添加する酸供給装置を設けたことを特徴とする光触媒式廃水処理装置。
【００１０】
（２）前記光触媒反応器は、紫外線透過材料からなる、内筒および該内筒と同心円状に設けられた外筒と、該外筒の内面に設けられた光触媒および前記内筒内に設けられた紫外線発生源と、前記外筒と内筒との間に形成される被処理水の流路とを有し、前記外筒に前記紫外線発生源から照射される紫外線強度を測定する紫外線強度計を設けたことを特徴とする上記（１）に記載の光触媒式廃水処理装置。
（３）前記光触媒反応器を多数直列に連結して反応器モジュールとし、該反応器モジュールを単独でまたは複数組み合わせて大容量の光触媒反応器としたことを特徴とする上記（１）または（２）に記載の光触媒式廃水処理装置。
（４）前記光触媒は、無機繊維基材に酸化チタンを担持させたものであることを特徴とする上記（１）〜（３）の何れかに記載の光触媒式廃水処理装置。
【００１１】
（５）上記（１）〜（４）の何れかに記載の光触媒式廃水処理装置を用いた廃水処理方法であって、前記光触媒反応器の被処理水流路に被処理水を流通させ、光触媒の存在下に被処理水に含まれる有害有機物を分解するとともに、前記紫外線強度計によって光触媒が受光する紫外線照度を監視し、該紫外線照度が所定の基準量まで低下した時点で、前記紫外線照度が低下した光触媒反応器に流入する被処理水に連続的または間歇的に所定量の酸を添加し、酸性の被処理水で光触媒表面または被処理水流路壁面に付着した化合物を溶解し、前記光触媒が受光する紫外線照度を復活させることを特徴とする廃水処理方法。
【００１２】
（６）前記紫外線強度計による紫外線照度の計測値が所定の基準値以下となった際に、前記被処理水流路内の被処理水を抜き出し、清水を満たした状態で再度紫外線照度を計測し、得られた計測値が前記基準値以下のときに前記被処理水に酸を添加することを特徴とする上記（５）に記載の廃水処理方法。
（７）前記紫外線照度の基準値を、廃水処理開始前の紫外線照度の９０％とすることを特徴とする上記（５）または（６）に記載の廃水処理方法。
（８）前記被処理水は、廃棄物最終処分場の浸出水であることを特徴とする上記（５）〜（７）の何れかに記載の廃水処理方法。
【００１３】
【発明の実施の形態】
本発明の一実施例に適用する光触媒反応器の断面を図１に示す。図１において、この光触媒反応器は、紫外線透過材料である、例えば石英ガラスからなる、内筒１３および該内筒１３と同心円状に設けられた外筒１４と、該外筒１４の内面に配置された光触媒１１および前記内筒１３内に設けられた紫外線発生源としての殺菌灯１２と、前記内筒１３と外筒１４との間に形成される被処理水の流路４５とを備えた光触媒反応器の、前記殺菌灯１２に対向する外筒１４の外表面に紫外線強度計１５を設けたものであり、この紫外線強度計１５の計測値に基づいて前記水流路４５に導入される被処理水４６に、連続的または間歇的に酸を供給する酸供給装置（図示省略、図３参照）が設けられている。
【００１４】
また、図２は、図１の光触媒反応器を多数連結した反応器モジュールの説明図である。この反応器モジュールは、図１の光触媒反応器を多数直列に連結し、２段目以降の光触媒反応器に設置した紫外線強度計をなくしたものである。図２において、第１段目の光触媒反応器の入口と出口にはそれぞれ反応器入口弁１６および出口弁１７が設けられており、前記入口弁１６の前流と出口弁１７の後流とがバイパス弁２０を有するバイパスライン２１で連結されている。１８は、光触媒反応器入口に連結された清水ラインの水抜き弁（清水排出弁）、１９は、光触媒反応器出口に連結された清水供給ラインの水供給弁（清水供給弁）、２２は、エアー抜き管、２３は、エアー抜き弁である。
【００１５】
図３は、本発明の廃水処理方法に適用される光触媒式廃水処理装置のフローを示す説明図である。図３において、この装置は、原水タンク１と、該原水タンク１に供給ポンプ２を介して連結された循環タンク４と、該循環タンク４に循環ポンプ５を介して連結された光触媒反応器６と、該光触媒反応器６と前記循環タンク４とを連結する循環ライン７と、前記循環タンク４に、塩酸供給ポンプ１０を有する塩酸供給ライン８を介して連結された塩酸タンク９と、前記循環タンク４から処理水または排水を抜き出す排水ポンプ３とから主として構成されている。２４は、排水ポンプ３から抜き出された排水のｐＨを調整するｐＨ調整槽、２５および２６は、それぞれ排水ポンプ３の後流に設けられたｐＨ調整側開閉弁および放流側開閉弁である。
【００１６】
このような構成の廃水処理装置の前記光触媒反応器６として、例えば図２の反応器モジュールを適用し、被処理水（以下、単に廃水ということがある）に含まれる有害有機物が処理される。
【００１７】
すなわち、図示省略した浸出水処理設備によって、例えば生物処理、凝集沈殿処理および砂ろ過処理された浸出水は、図３の原水タンク１に貯留された後、その所定量が供給ポンプ２を経て循環タンク４に供給される。循環タンク４に流入した浸出水は、循環ポンプ５を経て光触媒反応器６としての反応器モジュールに送られ、該光触媒反応器（反応器モジュール）６、循環ライン７、前記循環タンク４および循環ポンプ５を経て再び光触媒反応器（反応器モジュール）６に流入する循環流路を所定流量で、所定時間循環し、浸出水中のダイオキシン等の有害有機物が、光触媒の作用によって分解、処理される。
【００１８】
このとき、反応器モジュール６の紫外線強度計１５（図２、図１参照）によって光触媒１１が受光する紫外線照度が測定され、該紫外線強度計の測定値に基づいて塩酸タンク９内に貯留されたれた塩酸の所定量が所定の頻度で塩酸供給ポンプ１０および塩酸供給ライン８を経て循環タンク４に送られ、塩酸酸性の浸出水が調製され、この塩酸酸性の浸出水を所定の流量で、所定時間、例えば２ｈｒ光触媒反応器（反応器モジュール）６内に循環させることによって光触媒反応器の光触媒１１の表面または水流路４５の壁面に付着したＦｅ、Ｃａ等の化合物が溶解、除去される。付着物を溶解した塩酸酸性の処理水は排水ポンプ３からｐＨ調整側開閉弁２５を経てｐＨ調整槽２４に送られ、ここで中和処理（凝集沈殿）される。
【００１９】
被処理水中の有害有機物を処理する際の具体的手順を図４に、また、そのときの紫外線照度の計測条件を表１に示した。
【００２０】
【表１】
2004113932.tif 000003
図４において、まず、光触媒反応器に廃水を導入する前に、清水を満たし、この状態で殺菌灯１２の電源を入れ、外筒１４の光触媒が配置されていない箇所の外表面に設けられた紫外線強度計１５によって紫外線照度を計測する。この紫外線照度は光触媒１１が受光する紫外線照度に相当する。なお、紫外線強度計の設置場所は、光触媒が受光する紫外線照度を計測できる箇所であれば何処でもよく、一般的には光触媒が設けられていない外筒表面に設けられる。次に、（１）光触媒反応器に廃水を導入して廃水処理を開始するとともに、（２）紫外線強度計１５により、光触媒１１が受光する紫外線の照度を連続的に測定する。このとき測定値があらかじめ定められた基準値以上である限り、（１５）廃水処理運転が継続される。光触媒１１が受光する紫外線の照度が基準値以下となった時点で、（３）一段目の反応器のバイパス弁２０を開け、廃水をバイパスライン２１にバイパスさせる。次に、（４）反応器入口弁１６と（５）反応器出口弁１７を閉じ、（６）清水排出弁（水抜き弁）１８を開けて反応器内の残留廃水を排出する。次いで（７）清水供給弁（水供給弁）１９を開け、（８）清水を投入するとともに、（９）前記水抜き弁１８を閉じて反応器の水流路を清水で満たす。このとき、廃水の排出や清水の供給がし難いときは、エアー抜き管２２のエアー抜き弁２３が開けられる。次に、反応器に清水を満たした状態で（１０）紫外線照度を測定し、測定値が基準値以上であれば、（１１）水供給弁１９を閉じ、（１２）反応器出口弁１７、および（１３）反応器入口弁１６を開き、（１４）バイパス弁２０を閉じ、これによって廃水を再び反応器に導いて（１５）連続運転が継続される。一方、（１０）における紫外線照度の計測値が基準値以下であった場合は、前記（１１）〜（１４）の操作の後、（１６）塩酸供給ポンプ１０（図３参照）を起動し、（１７）例えば０．１規定の塩酸（ＨＣｌ）を所定量廃水に添加し、得られた酸性廃水を、反応器モジュールに流通させて所定時間循環処理することにより、光触媒の表面または水流路壁面に付着した化合物が溶解し、光触媒１１が受光する紫外線照度が回復する。以下、同様にして紫外線照度が低下したときに、廃水に酸を添加して光触媒表面および水流路壁面に付着した化合物が溶解、除去される。
【００２１】
本実施例によれば、廃水の連続処理中、常に紫外線強度計１５によって光触媒１１が受ける紫外線照度を監視することができるので、該紫外線照度が基準値以下になった場合に、廃水に塩酸を添加し、酸性廃水を、光触媒反応器に所定の流量で、所定時間、例えば２．０時間循環、流通させることにより、反応器の光触媒表面および水流路壁面に付着した化合物を溶解、除去することができる。従って、常に最適紫外線照度による光触媒作用を維持しつつ、廃水に含まれるＤＸＮ等の有害有機物を効率よく処理することができる。
【００２２】
本実施例によれば、光触媒に照射される紫外線照度が低下した場合に、反応器内に清水を満たして紫外線照度を再度計測するようにしたことにより、紫外線照度の低下、換言すれば酸洗浄の必要性を正確に把握することができる。従って、必要最小限の酸使用量で装置性能を最適状態に維持することができる。
【００２３】
本実施例において、光触媒１１は、例えば平織りのＥガラス繊維織布に酸化チタン、シリカゾルおよびＰＶＡ（ポリビニルアルコール）からなるスラリを含浸させ、円筒状に成形した後、乾燥、焼成したものであり、例えば直径１００ｍｍ、長さ１，０００ｍｍの円筒形に成型されている。紫外線発生源としては、例えば４０Ｗの殺菌灯１２が用いられる。
【００２４】
本実施例において、光触媒反応器を多数連結した反応器モジュールには、少なくとも一つの紫外線強度計１５を設ければよく、例えば１段目の光触媒反応器の紫外線強度計１５を残し、その他の光触媒反応器の紫外線強度計をなくすことができる。このとき、紫外線強度計１５をなくした光触媒反応器の外筒として紫外線非透過材料を用いることができる。紫外線非透過材料としては、例えば塩化ビニール樹脂が挙げられる。なお、紫外線強度計をなくす光触媒反応器は特に限定されるものではなく、反応器モジュールを構成する光触媒反応器のうち２番目以降のものとすることもできる。
【００２５】
本実施例において、廃水に添加する酸としては、例えば塩酸が好適に使用されるが、塩酸の他硫酸等、その他の酸であってもよい。また、被処理水としては、例えば廃棄物最終処分場の浸出水が用いられる。
本実施例において、廃水の循環回数または循環時間は特に限定するものではなく、廃水中の有害有機物量、循環水量等によって適宜選択される。
【００２６】
次に、図２の反応器モジュールを光触媒反応器６として用いた図３の装置により、２種類の浸出水ＡおよびＢを２０リットル／ｈで１時間循環処理したのち排出するという条件で連続処理し、光触媒が受光する紫外線照度（光透過率）と装置性能との関係を求めた。なお、ここで、光透過率とは、廃水処理前に測定した初期の紫外線照度を１００とし、これに対する運転中の照度測定値の割合を百分率で示したものである。また装置性能とは、光触媒表面への付着物および水流路壁面への付着物が光透過率および装置性能に与える影響を数値化したものであり、各処理時間経過後の光触媒を抜き出し、３ｃｍ角に切り出して表２の条件で模擬物質分解試験を行ない、廃水を処理する前の触媒性能（触媒性能＝１）に対する割合を求めて触媒性能とし、この触媒性能と上記光透過率〔×（１／１００）〕との積で表したものである。
【００２７】
表３に、各処理時間における光透過率と装置性能まとめてを示した。また、図５に、光透過率と装置性能との関係を表すグラフを示した。
【表２】
2004113932.tif 000004
【００２８】
【表３】
2004113932.tif 000005
表３において、３６０時間程度連続運転すると，光透過率が９０％程度に低下することから、少なくとも２週間に一度は廃水に酸を添加して光触媒表面および水流路内壁面に付着した付着物を溶解、除去することが望ましい。
【００２９】
また図５において、光透過率と装置性能との関係はほぼ直線で近似することができ、光透過率を測定すれば、装置性能を間接的に評価できることが分かる。ここで、装置性能が０．８以上であれば，実機規模の装置で廃水を処理した場合、ＤＸＮ類をほとんど検出されない程度まで処理できることが分かっている。従って装置性能が０．８のときの光透過率が約９０％であることから、光透過率を９０％以上に保つことによって装置性能を常時高活性に維持することができることが分かる。
【００３０】
次に、上記と同様の装置を用い、同様の条件で別のごみ埋立最終処分場の浸出水を、光透過率が９０％になった時点で廃水に塩酸を添加し、光透過率を９０〜１００％に維持するようにして廃水処理した場合の処理日数と反応器の光透過率との関係を図６に示す。図６において、光透過率は常に９０％以上に維持され、処理開始当初と同等の装置性能が長期間維持されていることが分かる。
【００３１】
本発明においては、光透過率の基準値を、初期の紫外線照度の９０％とすることが好ましい。９０％よりも小さいと、装置性能の回復が不十分となる。
本発明において、酸添加後の被処理水（廃水）のｐＨは、ｐＨ＝１〜５であることが望ましい。ｐＨが５よりも高いと、付着物が除去されにくくなる。またｐＨが１よりも低いと、酸消費量が増えるだけでなく、触媒基材であるＥガラスが溶出するおそれがある。
本発明において、図２に示した反応器モジュールをさらに多数連結して大容量の光触媒反応器とすることもできる。
【００３２】
図７は、図２の反応器モジュールを３個（６Ａ、６Ｂ、６Ｃ）並列に設置して大容量の光触媒反応器とし、各モジュールに少なくとも１個の紫外線強度計１５を設けたものである。
【００３３】
このような光触媒反応器において、モジュール６Ａ、６Ｂおよび６Ｃで連続的に廃水処理が行われ、連続的に紫外線照度が測定され、例えばモジュール６ａにおける光透過率が９０％になったとき、処理水循環弁２９と３５を閉にし、その後、原廃水供給弁４２を開けて酸液供給タンク２７に原水を供給しながら，塩酸タンク９からも同様に塩酸を供給する。次いで、酸液循環弁３２と３８を開け，酸液供給ポンプ２８を起動してモジュール６Ａに酸液を循環させる。例えば、２ｈ循環後、酸液循環ポンプ２８を停止し、酸液循環弁３２と３８を閉め、処理水循環弁２９と３５を開にし、通常の運転に戻る。酸液供給タンク２７内の処理液は酸液排出弁４１を開け、排水ポンプ３でｐＨ調整槽２４に送られる。別のモジュールの光透過率が９０％になった場合も同様の操作が行われる。
【００３４】
本実施例によれば、各モジュールへの付着物の付着状況に差異があっても、連続的に光透過率を測定し、該光透過率が９０％になったモジュールだけに酸添加を行なうことにより、必要最小限の酸使用量で、全モジュールを常に高活性に維持することができる。
【００３５】
【発明の効果】
本願の請求項１に記載の発明によれば、光触媒反応器の壁面または光触媒の表面に鉄、カルシウム等の化合物が付着することによる装置性能の低下を防止して廃水中の有害有機物を効率よく処理することができる。
本願の請求項２に記載の発明によれば、上記発明と同様、光触媒に照射される紫外線照度を常に所定の基準値以上に維持することができるので、装置性能の低下を防止して効率よく、廃水中の有害有機物を処理することができる。
【００３６】
本願の請求項３に記載の発明によれば、上記発明の効果に加え、大容量の廃水であっても、必要最小限の酸使用量でこれに含まれる有害有機物を効率よく分解、除去することができる。
本願の請求項４に記載の発明によれば、上記発明の効果に加え、触媒成分として酸化チタンを用いた光触媒によって廃水中の有害有機物を効率よく除去することができる。
【００３７】
本願の請求項５に記載の発明によれば、光触媒表面または水流路壁面に付着する化合物を取り除いて装置性能を常に良好に保つことができるので、被処理廃水中の有害有機物を長期間安定に効率よく処理することができる。
本願の請求項６に記載の発明によれば、上記発明の効果に加え、紫外線照度をより正確に計測して、酸添加の必要時期を正確に把握することができる。
【００３８】
本願の請求項７に記載の発明によれば、上記発明の効果に加え、常に初期性能の８０％の装置性能を維持することができる。
本願の請求項８に記載の発明によれば、上記発明の効果に加え、廃棄物最終処分場の浸出水に含まれる有害有機物を効率よく処理することができる。
【図面の簡単な説明】
【図１】本発明の一実施例に適用される光触媒反応器の説明図。
【図２】本発明の一実施例に適用される反応器モジュールの説明図
【図３】廃水処理装置のフローを示す説明図。
【図４】廃水の処理手順を示す説明図。
【図５】光触媒反応器における光透過率と装置性能との関係を示す図。
【図６】本発明の効果を示す説明図。
【図７】本発明の他の実施例である廃水処理装置のフローを示す図。
【符号の説明】
１…原水タンク、２…供給ポンプ、３…排水ポンプ、４…循環タンク、５…循環ポンプ、６…光触媒反応器、７…循環ライン、８…塩酸供給ライン、９…塩酸タンク、１０…塩酸供給ポンプ、１１…光触媒、１２…殺菌灯、１３…反応器内筒、１４…反応器外筒、１５…紫外線強度計、１６…反応器入口弁、１７…反応器出口弁、１８…水抜き弁、１９…水供給弁、２０…バイパス弁、２１…バイパスライン、２２…　エアー抜き管、２３…エアー抜き弁、２４…ｐＨ調整槽、２５…ｐＨ調整側開閉弁、２６…放流側開閉弁、２７…酸液供給タンク、２８…酸液供給ポンプ、２９…処理水循環弁、３０…処理水循環弁、３１…処理水循環弁、３２…酸液循環弁、３３…酸液循環弁、３４…酸液循環弁、３５…処理水循環弁、３６…処理水循環弁、３７…処理水循環弁、３８…酸液循環弁、３９…酸液循環弁、４０…酸液循環弁、４１…酸液排出弁、４２…原廃水供給弁４５…被処理水の流路、４６…被処理水。
【図１】
2004113932.tif 000006
【図２】
2004113932.tif 000007
【図３】
2004113932.tif 000008
【図４】
2004113932.tif 000009
【図５】
2004113932.tif 000010
【図６】
2004113932.tif 000011
【図７】
2004113932.tif 000012